(57)【要約】      （修正有）【課題】視点の移動に伴って相異なる画像が再生される画像記録媒体を観察したときにおける、それぞれの画像の観察しやすさを向上させる。【解決手段】第１のレーザ光が、異方性散乱フィルムの被着されたホログラム原版およびホログラム記録媒体に対して照射され、入射した光を第１の付加情報に応じて変調する第１の空間光変調素子を通過した第２のレーザ光が、ホログラム記録媒体に対して第１のレーザ光と同時に異方性散乱フィルムの被着されたホログラム原版を介して照射されることによって、ホログラム原版に記録されたホログラム画像と、第１の付加情報とが、ホログラム記録媒体に記録される。【選択図】図１
2013104882.tif 000002
【特許請求の範囲】
【請求項１】
所定の角度から照明した際に、法線に対して第１の方向に沿って視点を動かすと少なくとも該第１の方向には連続した視差をもつホログラム画像が記録されており、かつ一主面上に異方性散乱フィルムが被着されたホログラム原版における、前記異方性散乱フィルムの被着された側の主面と、感光性材料を含むホログラム記録媒体の一面とを、直接または屈折率調整体を介して密着させ、
第１のレーザ光を、前記異方性散乱フィルムの被着された前記ホログラム原版および前記ホログラム記録媒体に対して照射するとともに、入射した光を第１の付加情報に応じて変調する第１の空間光変調素子を通過した第２のレーザ光を、前記ホログラム記録媒体に対して前記第１のレーザ光と同時に前記異方性散乱フィルムの被着された前記ホログラム原版を介して照射し、
前記ホログラム原版に記録されたホログラム画像と、前記第１の付加情報とを前記ホログラム記録媒体に記録するホログラム複製方法。
【請求項２】
前記異方性散乱フィルムからの出射光の第２の方向に関する拡散範囲が、前記第１の方向に関する拡散範囲よりも大とされる請求項１に記載のホログラム複製方法。
【請求項３】
前記異方性散乱フィルムにおいて、入射した光を拡散させる入射角の範囲が、前記ホログラム記録媒体に対する前記第１のレーザ光の入射角をζ、前記ホログラム原版を前記所定の角度から照明したときに、前記ホログラム原版に記録された前記ホログラム画像が最大輝度で再生される角度をξとしたときに、ほぼ（±ζ＋ξ）／２を中心とする角度範囲とされる請求項１に記載のホログラム複製方法。
【請求項４】
前記ホログラム原版における、前記異方性散乱フィルムの被着された側とは反対側の主面と近接して光偏向素子がさらに配置される請求項１に記載のホログラム複製方法。
【請求項５】
前記ホログラム記録媒体が、情報を体積型ホログラムとして記録するホログラム記録媒体である請求項１に記載のホログラム複製方法。
【請求項６】
前記第１の付加情報が、識別情報である請求項１に記載のホログラム複製方法。
【請求項７】
前記ホログラム原版に記録されている前記ホログラム画像が、ホログラフィックステレオグラムである請求項１に記載のホログラム複製方法。
【請求項８】
前記第２のレーザ光の波長と、前記ホログラム原版に記録されている前記ホログラム画像を再生させるための光の波長とが、相異なる請求項１に記載のホログラム複製方法。
【請求項９】
前記第２のレーザ光の波長と、前記ホログラム原版に記録されている前記ホログラム画像を再生させるための光の波長とが、少なくとも２５ｎｍ以上離れている請求項１に記載のホログラム複製方法。
【請求項１０】
入射した光を第２の付加情報に応じて変調する第２の空間光変調素子を通過した第３のレーザ光を、前記ホログラム記録媒体に対して前記第２のレーザ光とは異なる入射角でもって前記第１のレーザ光と同時に前記ホログラム原版を介してさらに照射し、
前記第２の付加情報を前記ホログラム記録媒体にさらに記録する請求項１に記載のホログラム複製方法。
【請求項１１】
所定の角度から照明した際に、法線に対して第１の方向に沿って視点を動かすと少なくとも該第１の方向には連続した視差をもつホログラム画像が記録されており、かつ一主面上に異方性散乱フィルムが被着されたホログラム原版と、前記ホログラム原版における、前記異方性散乱フィルムの被着された側の主面に直接または屈折率調整体を介して密着される、感光性材料を含むホログラム記録媒体とに第１のレーザ光を照射するための第１の照射光学系と、
前記異方性散乱フィルムの被着された前記ホログラム原版を介して、前記ホログラム記録媒体に第２のレーザ光を照射するための第２の照射光学系と、
前記第２の照射光学系と、前記ホログラム原版との間に配置され、入射した光を付加情報に応じて変調する空間光変調素子と
を備え、
前記第１のレーザ光と、前記第２のレーザ光とを同時に照射することにより、前記ホログラム原版に記録されたホログラム画像と、前記付加情報とを前記ホログラム記録媒体に記録するホログラム複製装置。
【発明の詳細な説明】
【技術分野】
【０００１】
本開示は、ホログラムの複製方法および複製装置に関する。本開示は、特に、相異なる方向に視差（parallax）を有する少なくとも２つの情報をホログラムの記録媒体に記録するための複製方法および複製装置に関する。
【背景技術】
【０００２】
クレジットカード、身分証明書などの真贋判定のために、立体表示が可能なホログラムが利用されている。近年では、干渉パターンが屈折率の差として記録層内部に記録された体積型ホログラムが使用されることが多い。これは、体積型ホログラムの偽造に際しては、記録画像の制作に高度な技術が要求されることと、体積型ホログラムの記録材料が入手困難なことによる。
【０００３】
しかしながら、体積型ホログラムの複製技術も日々進歩しており、ホログラムには、より高度な真贋判定機能や偽造防止の対策が求められている。ホログラムに対してより高度な真贋判定機能を与える方法として、本出願人らのうちの１人は、ホログラムの観察方向に応じて、相異なる画像が再生されるように記録を行うことを提案している。
【０００４】
例えば、下記の特許文献１には、所定の方向からの照明のもとで観察すると、視点の移動に伴って相異なる画像が再生される画像記録媒体が開示されている。該画像記録媒体を所定の方向からの照明のもとで観察すると、視点の左右方向への移動に伴って、連続した視差を有する第１の画像が再生される。一方、視点を例えば上下方向に動かすと、所定の角度範囲において第２の画像が再生される。第２の画像は、例えば、番号、記号または文字の組合せなどの二次元画像である。
【０００５】
下記の特許文献１によれば、記録された複数の画像が重なって見づらくなること（以下、「クロストーク」と適宜称する。）を防止するために、ホログラム記録媒体への情報の記録に際しては、ホログラム記録媒体に対する付加情報光の入射角が規定される。付加情報光の入射角により、第２の画像を再生させたときの、第２の画像が最大輝度で再生される角度が決定される。
【０００６】
下記の特許文献１に記載の技術では、第１の画像が最大輝度で再生される角度と、第２の画像が最大輝度で再生される角度とが近づきすぎないように、ホログラム記録媒体に対する付加情報光の入射角および参照光の入射角が選ばれる。
【０００７】
また、下記の特許文献１によれば、ホログラム記録媒体への情報の記録に際しては、ホログラム記録媒体に対する付加情報光の拡散角が規定される。付加情報光の拡散角により、第２の画像を観察することのできる視点の範囲が決定される。第２の画像の再生光の強度分布は、第２の画像が最大輝度で再生される角度から離れるに従い漸減する強度分布とされる。
【０００８】
ここで、第２の画像の再生光の強度分布が急峻なピークを有すると、第２の画像を観察できる視点の範囲がごく狭い角度範囲に制限され、第２の画像が観察しづらいこともあった。言い換えれば、視点の移動に伴う第２の画像の再生光強度の変化が急激であると、クロストークは防止されるが、かえって第２の画像が観察しづらいこともあった。
【先行技術文献】
【特許文献】
【０００９】
【特許文献１】特開２０１０−１７６１１６号公報
【発明の概要】
【発明が解決しようとする課題】
【００１０】
視点を移動させる方向が相異なる場合に相異なる画像がそれぞれ再生される画像記録媒体においては、再生されるそれぞれの画像が観察しやすいことが望まれている。
【課題を解決するための手段】
【００１１】
本開示の第１の好ましい実施態様は、
所定の角度から照明した際に、法線に対して第１の方向に沿って視点を動かすと少なくとも該第１の方向には連続した視差をもつホログラム画像が記録されており、かつ一主面上に異方性散乱フィルムが被着されたホログラム原版における、異方性散乱フィルムの被着された側の主面と、感光性材料を含むホログラム記録媒体の一面とを、直接または屈折率調整体を介して密着させ、
第１のレーザ光を、異方性散乱フィルムの被着されたホログラム原版およびホログラム記録媒体に対して照射するとともに、入射した光を第１の付加情報に応じて変調する第１の空間光変調素子を通過した第２のレーザ光を、ホログラム記録媒体に対して第１のレーザ光と同時に異方性散乱フィルムの被着されたホログラム原版を介して照射し、
ホログラム原版に記録されたホログラム画像と、第１の付加情報とをホログラム記録媒体に記録するホログラム複製方法である。
【００１２】
本開示の第２の好ましい実施態様は、
ホログラム複製装置が、第１の照射光学系と、第２の照射光学系と、空間光変調素子とを備える。
第１の照射光学系は、ホログラム原版と、感光性材料を含むホログラム記録媒体とに第１のレーザ光を照射する。
ホログラム原版には、所定の角度から照明した際に、法線に対して第１の方向に沿って視点を動かすと少なくとも該第１の方向には連続した視差をもつホログラム画像が記録されており、かつ一主面上に異方性散乱フィルムが被着されている。
ホログラム記録媒体は、ホログラム原版における、異方性散乱フィルムの被着された側の主面に直接または屈折率調整体を介して密着される。
第２の照射光学系は、異方性散乱フィルムの被着されたホログラム原版を介して、ホログラム記録媒体に第２のレーザ光を照射する。
空間光変調素子は、第２の照射光学系と、ホログラム原版との間に配置され、入射した光を付加情報に応じて変調する。
ホログラム複製装置は、第１のレーザ光と、第２のレーザ光とを同時に照射することにより、ホログラム原版に記録されたホログラム画像と、付加情報とをホログラム記録媒体に記録する。
【００１３】
本開示では、ホログラム記録媒体に対する、ホログラム原版に記録されたホログラム画像の複製および付加情報の二次元画像の記録に際し、ホログラム原版の一主面上に異方性散乱フィルムが被着される。ホログラム原版は、例えば、左右方向（第１の方向）に連続した視差を有するホログラム画像が記録されたホログラム原版である。さらに、本開示では、ホログラム記録媒体は、ホログラム原版における、異方性散乱フィルムの被着された側の主面と密着させられる。
【００１４】
ホログラム原版の一主面上に被着される異方性散乱フィルムは、付加情報の重畳された光を選択的に拡散させることにより、ホログラム記録媒体に記録された付加情報の二次元画像（第２の画像）の観察される視点の範囲を拡大する機能を有する。
【００１５】
ここで、本開示においては、ホログラム原版の一主面上に被着される異方性散乱フィルムとして、入射光に対する拡散異方性を有するとともに、入射する光の入射方向に関して光散乱の選択性を有する光学素子が使用される。
【００１６】
本明細書において、「光学素子が入射光に対する拡散異方性を有する」とは、該光学素子に対して光を入射させたときに、出射光の拡散範囲が、等方的でないことをいうものとする。
【００１７】
また、「光学素子が入射する光の入射方向に関して光散乱の選択性を有する」とは、光学素子が、ある角度範囲に入射した光を拡散させるのに対して、該角度範囲とは相異なる所定の角度範囲に入射した光を、ほぼ拡散させることなく透過させることをいうものとする。
【００１８】
本開示においては、ホログラム原版の一主面上に被着された異方性散乱フィルムは、例えば、上下方向（第２の方向）に関して、入射光を第１の方向よりも強く拡散させる。さらに、ホログラム原版に記録されたホログラム画像を再生させるための参照光の入射する方向およびホログラム原版からの再生光の出射する方向が、異方性散乱フィルムにおける、入射した光をほぼ拡散させることなく透過させる方向に選ばれる。
【００１９】
したがって、本開示では、ホログラム記録媒体に複製または記録された画像を観察することのできる視点の範囲のうち、第２の画像における第２の方向に関する視点の範囲が拡大されることとなる。第２の画像における第２の方向に関する視点の範囲が拡大されることにより、第２の画像の再生光の強度分布がブロードなものとなり、第２の画像に関する再生光の強度分布におけるピークが緩和されたものとなる。したがって、第２の画像の観察のしやすさが向上する。
【００２０】
さらに、本開示では、ホログラム原版における、ホログラム記録媒体とのコンタクト面となる側の主面に異方性散乱フィルムが被着されるので、ホログラム記録媒体の表面にごく近い略一定平面において付加情報の二次元画像が結像される。ホログラム記録媒体の面上に二次元画像が定位されるので、第２の画像が二次元画像である場合であっても、再生像のシャープネスの低下が抑制され、画像記録媒体から再生される再生像の観察しやすさ、画像記録媒体の製造のしやすさが両立される。
【００２１】
本明細書中においては、「ホログラム記録媒体」とは、情報がホログラフィックに記録される前の記録媒体を指すものとし、「画像記録媒体」とは、情報が記録された後の記録媒体を指すものとする。
【発明の効果】
【００２２】
少なくとも１つの実施例によれば、視点の移動に伴って相異なる画像が再生される画像記録媒体を観察したときにおける、それぞれの画像の観察しやすさを向上させることができる。
【図面の簡単な説明】
【００２３】
【図１】図１は、第１の実施形態にかかるホログラム複製装置の一構成例を示す略線図である。
【図２】図２Ａ〜図２Ｄは、本開示の実施形態にかかるホログラム複製装置により得られる画像記録媒体から再生される再生像の一例を示す図である。
【図３】図３Ａ〜図３Ｃは、異方性散乱フィルムにおける、入射光に対する拡散異方性を説明するための図である。
【図４】図４Ａは、異方性散乱フィルムにおける、入射する光の入射方向に関する光散乱の選択性を説明するための図である。図４Ｂは、図１に示すホログラム記録媒体の周辺を拡大して示す略線図である。
【図５】図５Ａ〜図５Ｄは、ホログラム原版へのホログラム画像の記録時における参照光および物体光と、ホログラム画像の記録後のホログラム原版に対する照明光および回折光との関係を説明するための図である。
【図６】図６Ａ〜図６Ｄは、参照光の入射角および第１の画像に関する回折光の出射角に対する、付加情報光の好ましい入射角を説明するための図である。
【図７】図７は、第２の実施形態にかかるホログラム複製装置の一構成例を示す略線図である。
【図８】図８は、第３の実施形態にかかるホログラム複製装置の一構成例を示す略線図である。
【図９】図９は、第４の実施形態にかかるホログラム複製装置の一構成例を示す略線図である。
【図１０】図１０は、第５の実施形態にかかるホログラム複製装置の一構成例を示す略線図である。
【図１１】図１１Ａおよび図１１Ｂは、回折光強度の測定方法を示した概略図である。
【図１２】図１２Ａおよび図１２Ｂは、各サンプルに関する輝度の測定結果を示す図である。
【図１３】図１３Ａおよび図１３Ｂは、各サンプルに関する輝度の測定結果を示す図である。
【図１４】図１４は、ホログラム記録媒体に対して、左右方向に連続した視差を有するホログラム画像と、上下方向に視差を有する、ホログラムとしての二次元画像とを記録するためのホログラム複製装置の一構成例を示す略線図である。
【図１５】図１５Ａは、ホログラム記録媒体の一例の断面を示す模式図である。図１５Ｂ〜図１５Ｄは、光重合型フォトポリマの感光プロセスを示す略線図である。
【発明を実施するための形態】
【００２４】
以下、ホログラム複製方法およびホログラム複製装置の実施形態について説明する。説明は、以下の順序で行う。
＜０．二次元画像が重畳記録された画像記録媒体の製造方法＞
［ホログラム複製装置の一構成例］
［二次元画像の定位位置］
＜１．第１の実施形態＞
［ホログラム複製装置の一構成例］
［画像記録媒体］
［異方性散乱フィルム］
［参照光の入射角および付加情報光の入射角の選択］
＜２．第２の実施形態＞
［ホログラム複製装置の一構成例］
＜３．第３の実施形態＞
［ホログラム複製装置の一構成例］
＜４．第４の実施形態＞
［ホログラム複製装置の一構成例］
＜５．第５の実施形態＞
［ホログラム複製装置の一構成例］
＜６．変形例＞
【００２５】
なお、以下に説明する実施形態は、ホログラム複製方法およびホログラム複製装置の好適な具体例である。以下の説明においては、技術的に好ましい種々の限定が付されているが、特に本開示を限定する旨の記載がない限り、ホログラム複製方法およびホログラム複製装置の例は、以下に示す実施形態に限定されないものとする。
【００２６】
＜０．二次元画像が重畳記録された画像記録媒体の製造方法＞
本開示の実施形態の理解を容易とするため、まず、二次元画像の重畳記録された画像記録媒体の製造方法の概略について説明を行う。該画像記録媒体は、具体的には、左右方向に連続した視差を有するホログラム画像と、上下方向に視差を有する、ホログラムとしての二次元画像とが記録された体積型ホログラムである。
【００２７】
［ホログラム複製装置の一構成例］
図１４は、ホログラム記録媒体に対して、左右方向に連続した視差を有するホログラム画像と、上下方向に視差を有する、ホログラムとしての二次元画像とを記録するためのホログラム複製装置の一構成例を示す略線図である。
【００２８】
図１４に示すように、ホログラム複製装置１０１は、概略的には、ホログラム記録媒体１５に対して、参照光を照射するための光学系と、液晶パネル１２５などの空間変調素子によって変調された光を照射するための光学系とを備えている。ホログラム記録媒体１５には、２つの干渉パターンが重畳して記録される。２つの干渉パターンのうちの１つは、参照光が照射されることによりホログラム原版１０から出射される回折光（再生光）と、参照光との干渉による干渉パターンである。２つの干渉パターンのうちのもう１つは、付加情報光と、参照光との干渉による干渉パターンである。
【００２９】
以下、図１４を参照しながら、ホログラム複製装置１０１を使用した、画像記録媒体の製造方法の概略について説明する。
【００３０】
まず、レーザ光源１００からのレーザ光が、１／２波長板１０３を介して偏光ビームスプリッタ１０５に入射する。１／２波長板１０３は、レーザ光の偏光面を回転させる。
【００３１】
なお、レーザ光源１００から出射されるレーザ光の波長としては、後述するホログラム原版１０に記録された画像の再生に必要な色の波長成分を含んでいればよい。レーザ光源１００から出射されるレーザ光の波長としては、例えば、約５３２ｎｍの波長が選択される。
【００３２】
偏光ビームスプリッタ１０５によって、レーザ光の一部（例えば、Ｓ偏光成分）が反射され、反射されたレーザ光が、空間フィルタ１１１によって拡大される。空間フィルタ１１１からのレーザ光は、コリメーションレンズ１１３に入射する。
【００３３】
コリメーションレンズ１１３によって平行光とされたレーザ光が、感光性材料の層を有するホログラム記録媒体１５と、ホログラム原版１０とに照射される。このときのホログラム記録媒体１５に対するレーザ光の入射角θ１は、例えば、４５°に設定される。なお、ホログラム記録媒体１５と、ホログラム原版１０とは、直接密着されるか、屈折率調整液（インデックスマッチング液と称される。）を介して密着される。
【００３４】
以下、図１４に示すように、ホログラム記録媒体１５の左右方向および上下方向をそれぞれＸ方向、Ｙ方向とする。また、ホログラム記録媒体１５にたてた法線Ｎと平行であり、かつホログラム原版１０からホログラム記録媒体１５に向かう方向をＺ方向とする。
【００３５】
図１５Ａは、ホログラム記録媒体の一例の断面を示す模式図である。ホログラム記録媒体１５は、図１５Ａに示すように、テープ状に形成されたフィルムベース材１５ａと、光重合型フォトポリマからなるフォトポリマ層１５ｂと、カバーシート１５ｃとが順に積層された積層構造を有する。図１５Ａに例示するホログラム記録媒体１５は、いわゆるフィルム塗布タイプの記録媒体である。
【００３６】
図１５Ｂ〜図１５Ｄは、光重合型フォトポリマの感光プロセスを示す略線図である。光重合型フォトポリマは、初期状態では、図１５Ｂに示すように、モノマＭがマトリクスポリマに均一に分散している。
【００３７】
図１５Ｃに示すように、光重合型フォトポリマに対して１０〜４００ｍＪ／ｃｍ2程度のパワーの光ＬＡを照射すると、露光部においてモノマＭが重合する。そして、ポリマ化するにつれて周囲からモノマＭが移動してモノマＭの濃度が場所によって変化し、これにより、屈折率変調が生じる。
【００３８】
この後、図１５Ｄに示すように、１０００ｍＪ／ｃｍ2程度のパワーの光ＬＢを光重合型フォトポリマの全面に照射することにより、モノマＭの重合が完了する。１０００ｍＪ／ｃｍ2程度のパワーの光ＬＢは、例えば、紫外線や可視光である。
【００３９】
このように、光重合型フォトポリマは、入射された光に応じて屈折率が変化するので、参照光と物体光との干渉によって生じる干渉パターンを、屈折率の変化として記録することができる。光重合型フォトポリマを用いたホログラム記録媒体１５は、露光後に特別な現像処理を施す必要がない。そのため、ホログラム記録媒体１５に光重合型フォトポリマを用いることにより、ホログラム複製装置の構成を簡略化することができる。
【００４０】
ホログラム原版１０は、例えば、左右方向に連続した視差を有するホログラフィックステレオグラムの記録された体積型ホログラムである。ホログラフィックステレオグラムは、観察時に左右方向および上下方向の両方向に視差を有するホログラフィックステレオグラムであってもよい。また、ホログラム原版１０は、被写体にレーザ光を照射して制作される実写ホログラムの記録された体積型ホログラムなどであってもよい。以下の説明においては、ホログラム原版１０が、左右方向に連続した視差を有するホログラフィックステレオグラムの記録された体積型ホログラムであるものとして説明を行う。
【００４１】
ホログラム原版１０に対して、コリメーションレンズ１１３によって平行光とされたレーザ光（参照光）が照射されることにより、ホログラム原版１０から、記録された画像に関する再生光が出射される。
【００４２】
すなわち、ホログラム記録媒体１５には、ホログラム原版１０からの再生光と、コリメーションレンズ１１３によって平行光とされたレーザ光（参照光）との干渉パターンが記録される。言い換えれば、ホログラム記録媒体１５には、ホログラム原版１０に記録された、左右方向に連続した視差を有する画像（第１の画像）が複製されることになる。
【００４３】
一方、偏光ビームスプリッタ１０５を通過したレーザ光（例えば、Ｐ偏光成分）は、ミラー１０７で反射されて空間フィルタ１１２に入射する。空間フィルタ１１２によって拡大されたレーザ光が、コリメーションレンズ１１４によって平行光とされ、ミラー１０９に入射する。
【００４４】
ミラー１０９によって反射されたレーザ光は、空間光変調素子としての液晶パネル１２５に入射する。
【００４５】
液晶パネル１２５に対しては、例えば、マイクロコンピュータなどの液晶駆動部が接続される。液晶駆動部の制御により、液晶パネル１２５には、付加情報の画像が表示される。したがって、ホログラム記録媒体１５に対しては、上述した参照光に加えて、付加情報が重畳されたレーザ光（付加情報光）がさらに照射されることになる。なお、このときのホログラム記録媒体１５に対するレーザ光の入射角θ２は、例えば、２３°に設定される。
【００４６】
ここで、付加情報とは、例えば、画像記録媒体のそれぞれに対するユニークな識別情報である。該識別情報の形態としては、例えば、シリアル番号や一次元バーコード、二次元バーコードなどが挙げられる。
【００４７】
液晶パネル１２５の出射面には、偏光板１２７が配置される。偏光板１２７は、付加情報光と、参照光との干渉性を高めるために配置される。
【００４８】
例えば、参照光が偏光ビームスプリッタ１０５内部の反射面に対してＳ偏光であり、液晶パネル１２５に入射する光がＰ偏光であった場合、液晶パネル１２５に入射した光の偏光面は、液晶パネル１２５により、Ｐ偏光からＳ偏光へと回転させられる。このとき、偏光板１２７は、Ｓ偏光（付加情報光）のみを透過させる。
【００４９】
偏光板１２７を通過した付加情報光は、投影レンズ１２１、絞り（マスク）１２２および投影レンズ１２３からなる結像光学系１２９を介して、ホログラム記録媒体１５に入射する。したがって、ホログラム記録媒体１５には、付加情報光と、参照光との干渉パターンが記録される。言い換えれば、ホログラム記録媒体１５には、第１の画像に加えて、例えば、画像記録媒体のそれぞれに対して相異なるようにされた付加情報（第２の画像）が、ホログラム画像として記録されることになる。
【００５０】
第２の画像を観察することのできる視点の範囲は、付加情報光の拡散角により規定される。図１４に示す構成例では、結像光学系１２９により、付加情報光の拡散角が制御される。すなわち、第２の画像を観察することのできる視点の範囲は、結像光学系１２９により制御される。
【００５１】
なお、図１４に示す構成例では、結像光学系１２９と、ホログラム記録媒体１５との間に、拡散板１３１およびルーバ１７が順に配置される。拡散板は、ミラー１０９と、液晶パネル１２５との間に配置されていてもよい。
【００５２】
拡散板１３１と、ホログラム原版１０との間に介在されたルーバ１７は、不要な反射光がホログラム原版１０に入射することを防止するために配置される。
【００５３】
ルーバ１７は、例えば、平面状の黒色の吸収層を一定間隔で透明板の内部に配置した構成を有する。ルーバ１７の吸収層により、ホログラム原版１０への付加情報光が通過し、かつ参照光が拡散板１３１側へ通過しないようにすることができる。
【００５４】
拡散板１３１と、ホログラム原版１０との間にルーバ１７を配置することにより、ホログラム原版１０と、空気との界面で反射した参照光が、ホログラム原版１０に戻ることを防止することができる。
【００５５】
このようにして、ホログラム記録媒体１５に対して、左右方向に連続した視差を有するホログラム画像の複製と、上下方向に視差を有する、ホログラムとしての二次元画像の記録とが行われる。
【００５６】
ホログラム画像の複製および二次元画像の記録を終えたホログラム記録媒体１５に対しては、ホログラム画像の定着や裁断などの後処理が施される。
【００５７】
上述した工程を経て、左右方向に連続した視差を有するホログラム画像と、上下方向に視差を有する、ホログラムとしての二次元画像とが記録された画像記録媒体が得られる。上述したホログラム複製装置１０１により得られる画像記録媒体のそれぞれは、左右方向に連続した視差を有するホログラム画像を共通としながら、例えば、上下方向に視差を有するホログラム画像としてのシリアル番号を備えた画像記録媒体となる。
【００５８】
該画像記録媒体においては、左右方向に連続した視差を有するホログラム画像と、上下方向に視差を有する、ホログラムとしての二次元画像とが、屈折率変調により、１層の材料中に記録されている。二次元画像の再生光の強度分布を、二次元画像が最大輝度で再生される角度から離れるに従い漸減する強度分布とすることにより、画像記録媒体から観察される画像が、２ステップ方式で記録された切り替え型ホログラムとは異なったものとすることができる。
【００５９】
［二次元画像の定位位置］
左右方向に連続した視差を有するホログラム画像とは異なる深さに二次元画像を定位させることにより、観察者が画像記録媒体を観察したときに、観察者は、左右方向に連続した視差を有するホログラム画像と、二次元画像とを容易に区別して認識できる。
【００６０】
ここで、二次元画像を定位させる位置がホログラム記録媒体の表面から大きく離れると、二次元画像の再生像のシャープネスが劣化する傾向がある。例えば、表面に対して深い位置に二次元画像が定位された画像記録媒体を、拡散光源による照明下において観察したときに、再生像のシャープネスが低いと、記録された付加情報が読み取りにくくなる。
【００６１】
図１４に示す構成例においては、二次元画像（第２の画像）を観察することのできる視点の範囲を広げるための拡散板１３１が、結像光学系１２９と、ホログラム記録媒体１５との間に介在されている。
【００６２】
すると、拡散板１３１を通過した光は、ホログラム記録媒体１５に到達する前に、ホログラム原版１０の厚さの分だけ拡散してしまい、ホログラム記録媒体に対して、二次元画像を所望の位置に定位させることが困難になる。すなわち、結像光学系１２９と、ホログラム記録媒体１５との間に拡散板１３１を介在させた場合には、二次元画像の“定位ずれ”が生じる。
【００６３】
拡散板１３１と、ホログラム記録媒体１５との間にルーバ１７を介在させた場合には、拡散板１３１と、ホログラム記録媒体１５との間の距離が、ルーバ１７の厚さの分だけさらに増加してしまう。
【００６４】
拡散板１３１と、ホログラム記録媒体１５との間の距離が大きいと、再生像のシャープネスが低くなるとともに、画像記録媒体の観察者が画像記録媒体を観察したときに、二次元画像が奥まった位置にあるように感じられてしまう。
【００６５】
例えば、二次元画像の“定位ずれ”のある画像記録媒体を、拡散光源による照明下において観察すると、二次元画像がぼやけて見えるほか、複数個の光源による照明下においては、画像記録媒体から複数多重像が再生されてしまう。また、画像記録媒体をある方向から観察したときに、二次元画像の一部が途切れて見えてしまうこともある。すなわち、二次元画像の“定位ずれ”があると、画像記録媒体の観察者が、記録された付加情報を読みとりにくくなってしまう。
【００６６】
本開示の技術は、上述した、二次元画像の“定位ずれ”を防止すべく本出願人らが検討を重ねた結果に案出されたものである。
【００６７】
＜１．第１の実施形態＞
［ホログラム複製装置の一構成例］
図１は、第１の実施形態にかかるホログラム複製装置の一構成例を示す略線図である。図１に示すように、ホログラム複製装置１１は、ホログラム記録媒体１５およびホログラム原版１０に参照光を照射するための光学系と、ホログラム記録媒体１５に物体光としての付加情報光を照射するための光学系とを備えている。
【００６８】
図１に示すように、参照光は、例えば、レーザ光源１００から出射された後に１／２波長板１０３を通過したレーザ光を、偏光ビームスプリッタ１０５により分岐させることにより生成される。分岐されたレーザ光のうちの一方が、空間フィルタ１１１およびコリメーションレンズ１１３を介して、参照光としてホログラム記録媒体１５およびホログラム原版１０に照射される。空間フィルタ１１１およびコリメーションレンズ１１３の組は、参照光の照射光学系Ｓｏ１を構成する。
【００６９】
図１に示すように、ホログラム原版１０の一主面上には、異方性散乱フィルム１４が被着されている。すなわち、ホログラム記録媒体１５の一面と、異方性散乱フィルム１４が被着されたホログラム原版１０における、異方性散乱フィルム１４の被着された側の主面とが、密着させられる。
【００７０】
参照光は、ホログラム記録媒体１５に直接的に入射するとともに、ホログラム記録媒体１５および異方性散乱フィルム１４を介してホログラム原版１０に入射する。参照光は、ホログラム記録媒体１５にたてた法線Ｎに対して、角度θ１をもって、ホログラム記録媒体１５と、異方性散乱フィルム１４の被着されたホログラム原版１０とに入射する。
【００７１】
後述するように、本開示では、ホログラム原版１０の一主面上に被着される異方性散乱フィルム１４として、入射光に対する拡散異方性を有するとともに、入射する光の入射方向に関して光散乱の選択性を有する光学フィルムが使用される。異方性散乱フィルム１４が入射した光をより強く拡散させる方向は、ホログラム原版１０から連続した視差をもってホログラム画像が再生される視点の移動方向とは異なる方向とされる。また、異方性散乱フィルム１４が入射した光をほぼ拡散させることなく透過させる角度範囲は、ホログラム原版１０に対する参照光の入射角θ１を含むとともに、ホログラム原版１０からの回折光の出射角を含む角度範囲とされる。
【００７２】
ホログラム原版１０には、入射角が角度θ１なる方向から照明された際に再生されるホログラム画像（第１の画像）が記録されている。該ホログラム画像は、例えば、法線Ｎに対して、ある方向に沿って視点を動かすと少なくとも該方向には連続した視差をもって再生されるホログラム画像である。ホログラム原版１０から、連続した視差をもってホログラム画像が再生される視点の移動方向は、例えば、ホログラム原版１０の左右方向（ホログラム記録媒体１５の左右方向といってもよい。）とされる。
【００７３】
ホログラム原版１０における、異方性散乱フィルム１４の被着された側の主面には、直接または屈折率調整体を介して、感光性材料を含むホログラム記録媒体１５が密着される。したがって、ホログラム原版１０に対して参照光が照射されることにより、ホログラム原版１０からホログラム画像が再生され、ホログラム原版１０に記録されたホログラム画像が、ホログラム記録媒体１５に複製される。
【００７４】
偏光ビームスプリッタ１０５により分岐された残余のレーザ光は、空間フィルタ１１２およびコリメーションレンズ１１４を通過した後、ミラー１０９に入射する。ミラー１０９により反射されたレーザ光は、液晶パネル１２５、偏光板１２７および結像光学系１２９を介して、ホログラム記録媒体１５に照射される。
【００７５】
上述したように、液晶パネル１２５には、付加情報の画像が表示される。例えば、ホログラム記録媒体１５に対して多面づけで識別情報の記録を行う場合、液晶パネル１２５の画面には、多面づけの各面に対応して区分された領域ごとに、相異なるシリアル番号やバーコードなどが表示される。
【００７６】
液晶パネル１２５を通過したレーザ光には、液晶パネル１２５の画面に表示された付加情報が重畳される。付加情報が重畳されたレーザ光（付加情報光）と、照射光学系Ｓｏ１から照射される参照光との干渉により、付加情報が二次元画像としてホログラム記録媒体１５に記録される。
【００７７】
すなわち、付加情報光は、二次元画像をホログラフィックに記録するための物体光である。空間フィルタ１１２およびコリメーションレンズ１１４の組は、物体光を生成するための照射光学系Ｓｏ２を構成している。
【００７８】
物体光としての付加情報光は、ホログラム記録媒体１５にたてた法線Ｎに対して、角度θ２をもってホログラム原版１０の側からホログラム記録媒体１５に入射する。必要に応じて、ルーバ１７が、ホログラム原版１０に近接して配置される。ルーバ１７が配置されることにより、不要な反射光のホログラム原版１０への入射が防止され、得られる画像記録媒体の品質が向上する。
【００７９】
ホログラム記録媒体１５に対して、参照光と、付加情報光とが同時に照射されることにより、ホログラム原版１０に記録されたホログラム画像と、付加情報とが、ホログラム記録媒体１５に記録される。
【００８０】
図１に示す構成例では、ホログラム原版１０の一主面上に被着された異方性散乱フィルム１４を介して、付加情報光がホログラム記録媒体１５に入射する。
【００８１】
ここで、異方性散乱フィルム１４は、入射角θ２をほぼ中心とする角度範囲に入射する付加情報光を選択的に拡散させ、該角度範囲とは相異なる角度をもって入射する参照光およびホログラム原版１０からの回折光を透過させる。すなわち、角度θ２をもってホログラム原版１０に入射する付加情報光は、異方性散乱フィルム１４により、ホログラム記録媒体１５の近傍で拡散される。
【００８２】
このとき、異方性散乱フィルム１４は、ホログラム原版１０から連続した視差をもってホログラム画像が再生される視点の移動方向とは異なる方向に、入射した光をより強く拡散させる。すなわち、異方性散乱フィルム１４は、例えば、ホログラム原版１０の上下方向（ホログラム記録媒体１５の上下方向といってもよい。）に、入射した光をより強く拡散させる。
【００８３】
そのため、記録後のホログラム記録媒体１５に対して、入射角が角度θ１なる方向から照明光を照射したときにおける、画像記録媒体からの付加情報の二次元画像に関する回折光（再生光）は、出射角θ２を中心として、上下方向に関して±θ３以上の広がりをもつ。画像記録媒体からの付加情報の二次元画像に関する回折光が、上下方向に関して±θ３以上の広がりをもつので、視点を例えば上下方向に動かすと、法線Ｎに対する角度がθ２となる方向に視点があるときに、付加情報の二次元画像が観察される。このように、ホログラム記録媒体１５に記録される付加情報の二次元画像は、上下方向に視差を有する、ホログラムとしての二次元画像である。
【００８４】
したがって、図１に示す構成例においては、ホログラム原版１０から複製されるホログラム画像が左右方向に連続した視差を有し、かつホログラム記録媒体１５に記録される付加情報の二次元画像が上下方向に視差を有するものとなる。
【００８５】
［画像記録媒体］
図２Ａ〜図２Ｄは、本開示の実施形態にかかるホログラム複製装置により得られる画像記録媒体から再生される再生像の一例を示す図である。ホログラム複製装置１１により得られる画像記録媒体１には、左右方向に連続した視差を有するホログラム画像と、上下方向に視差を有する、ホログラムとしての二次元画像とが、屈折率変調により、１層の材料中に記録されている。
【００８６】
例えば、入射角が角度θ１なる方向からの照明光のもとで画像記録媒体１を正面から観察すると、図２Ａに示すように、ホログラム原版１０に記録されていたホログラム画像と同様の画像を観察することができる。
【００８７】
次に、画像記録媒体１を観察する視点を左右方向に沿って変化させたとする。すると、ホログラム原版１０に記録されていたホログラム画像が左右方向に連続した視差を有するものであるため、画像記録媒体１から観察される再生像も、視点の変化に応じて滑らかに変化する。
【００８８】
画像記録媒体１を観察する視点を右側に移動させると、例えば、図２Ｂに示すように、図２Ａに示す絵柄と異なった絵柄が観察される。画像記録媒体１を観察する視点を左側に移動させると、例えば、図２Ｃに示すように、図２Ａおよび図２Ｂに示す絵柄と異なった絵柄が観察される。なお、視点を固定して画像記録媒体１を左右方向に傾けた場合も、視点を移動させた場合と同様に、再生像が滑らかに変化する。
【００８９】
次に、画像記録媒体１を観察する視点を上下方向に沿って変化させたとする。すると、画像記録媒体１からの付加情報の二次元画像に関する回折光が、上下方向に関して±θ３以上の広がりをもつので、画像記録媒体１にたてた法線Ｎに対する角度がθ２となる方向に視点があるときに、付加情報の二次元画像が観察される。例えば、画像記録媒体１を観察する視点を上側に移動させると、図２Ｄに示すように、図２Ａに示す絵柄とは独立した付加情報の二次元画像が観察される。
【００９０】
［異方性散乱フィルム］
次に、本開示のホログラム複製装置に使用される異方性散乱フィルムについて説明する。上述したように、本開示のホログラム複製装置およびホログラム複製方法に使用される異方性散乱フィルムは、入射光に対する拡散異方性を有するとともに、入射する光の入射方向に関して光散乱の選択性を有する。
【００９１】
図３Ａ〜図３Ｃは、異方性散乱フィルムにおける、入射光に対する拡散異方性を説明するための図である。
【００９２】
図３Ａは、異方性散乱フィルム１４に平行光を入射させ、異方性散乱フィルム１４と平行な面ＨＳに対して、異方性散乱フィルム１４からの出射光を投射させたときの出射光の拡散範囲を示している。図３Ａに示すように、例えば、異方性散乱フィルム１４に平行光を入射させると、出射光の拡散範囲ＤｘおよびＤｙは、相異なったものとなる。例えば、図３Ａに示す例では、（Ｘ方向に沿った拡散範囲Ｄｘ）＜（Ｙ方向に沿った拡散範囲Ｄｙ）となっている。
【００９３】
図３Ｂおよび図３Ｃは、暗所において、異方性散乱フィルム１４を介して点光源の列を観察したときの配光を示している。いま、例えば、異方性散乱フィルム１４が入射した光をより強く拡散させる方向が、点光源の列の並びに垂直な方向であったとする。
【００９４】
この場合、異方性散乱フィルム１４を介して点光源の列を観察すると、図３Ｂに示すように、点光源から発せられた光が、図の上下方向に拡散して見える。
【００９５】
次に、異方性散乱フィルム１４を面内で９０°回転させると、点光源から発せられた光が点光源の列の並びに沿った方向に拡散されることとなり、点光源から発せられた光は、図の左右方向に連なった一筋の明線となる。
【００９６】
図４Ａは、異方性散乱フィルムにおける、入射する光の入射方向に関する光散乱の選択性を説明するための図である。
【００９７】
いま、異方性散乱フィルム１４にたてた法線Ｎを含む面ＶＳを想定し、入射角がβ１〜β２の範囲にある光Ｌｏが、異方性散乱フィルム１４に入射したとする。この場合、図４Ａに示すように、入射光Ｌｏは、異方性散乱フィルム１４により拡散される。
【００９８】
一方、入射角がβ１〜β２の範囲外とされた光Ｌｒが、異方性散乱フィルム１４に入射したとすると、入射光Ｌｒは、異方性散乱フィルム１４により拡散されることなく透過する。
【００９９】
このことは、言い換えれば、ある角度範囲（例えば、図４Ａにおけるβ１〜β２の範囲）から異方性散乱フィルム１４を観察すると、異方性散乱フィルム１４がすりガラスのように曇って見え、他の角度範囲から異方性散乱フィルム１４を観察すると、透明なフィルムのように見えることを意味する。
【０１００】
入射光に対する拡散異方性を有するとともに、入射する光の入射方向に関して光散乱の選択性を有する光学フィルムは、例えば、スペックルを記録したスペックルグラム、屈折率の異なる部分が不規則な形状で分布した樹脂フィルムなどにより実現される。後者として、例えば、「ルミスティー（住友化学株式会社の登録商標）」を挙げることができる。
【０１０１】
ルミスティーは、光重合可能なモノマおよびオリゴマの少なくともいずれかを含む樹脂組成物の少なくとも２種類から形成される。
【０１０２】
光重合可能なモノマまたはオリゴマとしては、例えば、２，４，６−トリブロムフェニルアクリレート、トリブロムフェノキシエチルアクリレート、２−ヒドロキシ−３−フェノキシプロピルアクリレート、テトラヒドロフルフリルアクリレート、エチルカルビトールアクリレート、ペンテニルオキシエチルアクリレート、フェニルカルビトールアクリレート、ポリオールポリアクリレート、イソシアヌル酸骨格のポリアクリレート、メラミンアクリレート、ヒダントイン骨格のポリアクリレート、ウレタンアクリレートなどが挙げられる。
【０１０３】
ルミスティーを構成する各樹脂組成物としては、互いに屈折率が異なる樹脂組成物が使用される。各樹脂組成物の組合せとしては、例えば、モノマから選ばれる２種、モノマの１種およびオリゴマの１種もしくはオリゴマから選ばれる２種またはこれらの組合せにさらに１種以上のモノマもしくはオリゴマを加えたものが挙げられる。拡散光における拡散角を確保する観点から、これらの組合せにおける各樹脂組成物のうちの少なくとも２種の間の屈折率差は、０．０１以上であることが好ましい。
【０１０４】
ルミスティーを構成する組成物として、光重合開始剤や可塑剤、安定剤、平均粒径が０．０５〜２０μｍの充填剤、紫外線吸収剤、光重合性のない化合物などがさらに含有されていてもよい。
【０１０５】
上述した各組成物を、例えば、基板上に塗布して膜状とした後に、所定の方向から紫外線を照射して硬化させることにより、入射する光の入射方向に関して光散乱の選択性を有する光学フィルムを得ることができる。このとき、線状または棒状の光源を使用することにより、入射光に対する拡散異方性を有する光学フィルムが得られる。
【０１０６】
図４Ｂは、図１に示すホログラム記録媒体の周辺を拡大して示す略線図である。図４Ｂに示すように、本開示では、ホログラム原版１０の一主面上に、異方性散乱フィルム１４が被着される。さらに、ホログラム記録媒体１５の一面と、異方性散乱フィルム１４が被着されたホログラム原版１０における、異方性散乱フィルム１４の被着された側の主面とが、密着させられる。
【０１０７】
本開示においては、異方性散乱フィルム１４における、入射した光を拡散させる入射角の範囲は、付加情報光の入射角θ２をほぼ中心とする角度範囲とされ、入射した光をより強く拡散させる方向は、例えば、ホログラム原版１０の上下方向（図４ＢにおけるＹ方向）とされる。したがって、付加情報光がホログラム記録媒体１５の近傍で拡散されることとなり、付加情報の二次元画像の“定位ずれ”を生じさせることなく、付加情報の二次元画像における上下方向に関する視点の範囲を拡大することができる。
【０１０８】
さらに、異方性散乱フィルム１４は、付加情報光の入射角θ２をほぼ中心とする角度範囲とは異なる角度θ１から入射する参照光を透過させるとともに、角度θ１から参照光が入射されることによりホログラム原版１０から出射される回折光（再生光）を透過させる。そのため、ホログラム原版１０の一主面上に被着された異方性散乱フィルム１４は、ホログラム記録媒体１５に対する、ホログラム原版１０に記録されたホログラム画像の複製には影響を与えない。
【０１０９】
［参照光の入射角および付加情報光の入射角の選択］
ここで、ホログラム記録媒体に対する、参照光の入射角および付加情報光の入射角について説明する。
【０１１０】
図５Ａ〜図５Ｄは、ホログラム原版へのホログラム画像の記録時における参照光および物体光と、ホログラム画像の記録後のホログラム原版に対する照明光および回折光との関係を説明するための図である。
【０１１１】
例えば、図５Ａに示すように、ホログラム原版１０ｅに記録されているホログラム画像が、ホログラム原版１０ｅに対して、参照光Ｌｒおよび物体光Ｌｏが照射されることにより記録されたホログラム画像であったとする。参照光Ｌｒの入射角および物体光Ｌｏの入射角は、それぞれθｒおよびθｏであったとする。
【０１１２】
ホログラム画像の記録後のホログラム原版１０ｅに対して、例えば、θｓ１＝θｒとなる角度方向から照明光Ｌｓ１を照射すると、図５Ｂに示すように、θｄ１＝θｏなる角度方向に回折光Ｌｄ１が出射される。言い換えれば、ホログラム原版１０ｅにたてた法線Ｎとなす角がθｄ１となる角度方向からホログラム原版１０ｅを観察すると、ホログラム原版１０ｅの観察者は、ホログラム原版１０ｅに記録されたホログラム画像を認識することができる。
【０１１３】
一方、ホログラム原版１０ｅに対して照明光Ｌｓ１が照射される側とは逆方向から、照明光Ｌｓｐ１がホログラム原版１０ｅに照射されたとすると、回折光Ｌｄ１とは反対の方向に回折光Ｌｄｐ１が出射される。なお、回折光Ｌｄｐ１によりホログラム原版１０ｅの観察者に認識されるホログラム画像は、スードスコピック（pseudoscopic）画像である。
【０１１４】
ホログラム画像の記録後のホログラム原版１０ｅに対して、例えば、θｓ２＝θｏとなる角度方向から照明光Ｌｓ２を照射すると、図５Ｃに示すように、θｄ２＝θｒなる角度方向に回折光Ｌｄ２が出射される。言い換えれば、ホログラム原版１０ｅにたてた法線Ｎとなす角がθｄ２となる角度方向からホログラム原版１０ｅを観察すると、ホログラム原版１０ｅの観察者は、ホログラム原版１０ｅに記録されたホログラム画像を認識することができる。
【０１１５】
一方、ホログラム原版１０ｅに対して照明光Ｌｓ２が照射される側とは逆方向から、照明光Ｌｓｐ２がホログラム原版１０ｅに照射されたとすると、回折光Ｌｄ２とは反対の方向に回折光Ｌｄｐ２が出射される。なお、回折光Ｌｄｐ２によりホログラム原版１０ｅの観察者に認識されるホログラム画像は、やはりスードスコピック画像である。
【０１１６】
上述したことから、ホログラム記録媒体とホログラム原版とを密着させ、ホログラム記録媒体およびホログラム原版に参照光および付加情報光を照射してホログラム画像および付加情報の画像を記録する場合においては、以下のことに注意する必要がある。
【０１１７】
参照光と付加情報光との干渉により、付加情報の画像をホログラム記録媒体１５に記録する場合、付加情報光の入射角度としては、ホログラム原版１０ｅからスードスコピック画像が再生されるような角度方向を避ける必要がある。すなわち、図５Ｄに示す物体光Ｌｏｐ１や、物体光Ｌｏｐ２は、付加情報光として不適切である。付加情報光がホログラム原版１０ｅによって回折されると、付加情報光がホログラム記録媒体１５に到達しなかったり、ホログラム原版１０ｅから再生されたスードスコピック画像の影響を受けて、ホログラム記録媒体１５に記録された付加情報の画像に強弱が生じたりするからである。
【０１１８】
そこで、ホログラム記録媒体１５に対する付加情報光の入射角が、次のようにして設定されることが好ましい。
【０１１９】
図６Ａ〜図６Ｄは、参照光の入射角および第１の画像に関する回折光の出射角に対する、付加情報光の好ましい入射角を説明するための図である。
【０１２０】
例えば、図６Ａに示すように、ホログラム原版１０ａの上方より、法線Ｎに対してζなる角度方向から照明されたときに、記録されているホログラム画像が、ホログラム原版１０ａの下方のξ１なる角度方向に最大輝度で再生される場合を考える。この場合、付加情報光の入射角ω１として、ほぼ（ζ＋ξ１）／２となる角度が選択されることが好ましい。
【０１２１】
具体的には、例えば、図６Ｂに示す参照光Ｌｓの入射角ζ＝４５°、ホログラム原版１０ａに記録されているホログラム画像が最大輝度で再生される角度ξ１＝（−１５）°であるとき、付加情報光Ｌｏ１の入射角ω１が、およそ１５°とされることが好ましい。
【０１２２】
このとき、複製および記録の完了したホログラム記録媒体１５に対して、法線Ｎに対して上方４５°の角度方向から照明光を照射したとする。ホログラム記録媒体１５からは、法線Ｎに対して下方１５°の方向を中心として、ホログラム原版１０ａから複製されたホログラム画像（第１の画像）が再生され、上方１５°の方向を中心として、付加情報の二次元画像（第２の画像）が再生されることとなる。
【０１２３】
また、例えば、図６Ｃに示すように、ホログラム原版１０ｂの上方より、法線Ｎに対してζなる角度方向から照明されたときに、記録されているホログラム画像が、ホログラム原版１０ｂの上方のξ２なる角度方向に最大輝度で再生される場合を考える。この場合、付加情報光の入射角ω２として、ほぼ（−ζ＋ξ２）／２となる角度が選択されることが好ましい。
【０１２４】
具体的には、例えば、図６Ｄに示す参照光Ｌｓの入射角ζ＝４５°、ホログラム原版１０ｂに記録されているホログラム画像が最大輝度で再生される角度ξ２＝１５°であるとき、付加情報光Ｌｏ２の入射角ω２が、およそ（−１５）°とされることが好ましい。
【０１２５】
このとき、複製および記録の完了したホログラム記録媒体１５に対して、法線Ｎに対して上方４５°の角度方向から照明光を照射したとする。ホログラム記録媒体１５からは、法線Ｎに対して上方１５°の方向を中心として、ホログラム原版１０ｂから複製されたホログラム画像（第１の画像）が再生され、下方１５°の方向を中心として、付加情報の二次元画像（第２の画像）が再生されることとなる。
【０１２６】
なお、図６Ａ〜図６Ｄにおいては、ＹＺ面内において、法線Ｎに対して＋Ｙ方向に向けて測った角を正、法線Ｎに対して−Ｙ方向に向けて測った角を負とした。また、法線Ｎに対して下方に向けて出射される第１の画像に関する回折光をＬｄｈｄ、上方に向けて出射される第１の画像に関する回折光をＬｄｈｕ、上方に向けて出射される第２の画像に関する回折光をＬｄａｕ、下方に向けて出射される第２の画像に関する回折光をＬｄａｄとした。
【０１２７】
したがって、本開示のホログラム複製方法においては、ホログラム記録媒体に対する付加情報光の入射角が、ホログラム原版にたてた法線Ｎに対して、ほぼ（±ζ＋ξ）／２に設定されることが好ましい。ここで、角ζは、ホログラム記録媒体に対する参照光の入射角、角ξは、ホログラム原版にたてた法線Ｎに対してζなる角度方向からホログラム原版を照明したときに、ホログラム原版から再生されるホログラム画像が最大輝度となる角度である。
【０１２８】
本開示においては、付加情報光が、異方性散乱フィルムにより選択的に拡散される。すなわち、本開示のホログラム複製方法においては、異方性散乱フィルムが入射光（すなわち、付加情報光である。）を拡散させる入射角の範囲が、ほぼ（±ζ＋ξ）／２を中心とする角度範囲に設定されていると好ましい。画像記録媒体から再生される画像の見やすさと、画像記録媒体の製造のしやすさの両立を達成することができるからである。
【０１２９】
なお、上述した説明では、（ζ，ξ）＝（４５°，±１５°）の場合を例にとったが、例えば、（ζ，ξ）＝（４５°，０°）などとされてもよい。このとき、（±ζ＋ξ）／２＝±２２．５°となり、（ζ，ξ）＝（４５°，±１５°）の場合と同様に、第１の画像または第２の画像が最大輝度で再生される角度方向が、照明光の正反射方向とならず、画像記録媒体から再生される画像が観察しやすいものとなる。
【０１３０】
本開示では、ホログラム原版の一主面上に、異方性散乱フィルムが被着される。さらに、本開示では、ホログラム記録媒体の一面と、異方性散乱フィルムが被着されたホログラム原版における、異方性散乱フィルムの被着された側の主面とが、密着させられる。そのため、本開示によれば、ホログラム記録媒体の表面にごく近い略一定平面において付加情報の二次元画像が結像される。すなわち、ホログラム記録媒体の面上に二次元画像を定位させることができる。したがって、ホログラム記録時における二次元画像の“定位ずれ”を防止でき、再生像のシャープネスの低下を抑制することができる。
【０１３１】
また、本開示においては、ホログラム記録媒体における、付加情報光の入射側に拡散板を配置することなく、入射する光の入射方向に関して光散乱の選択性を有する異方性散乱フィルムにより、ホログラム記録媒体の近傍において、付加情報光が拡散される。そのため、ホログラム記録媒体に複製または記録された画像を観察することのできる視点の範囲のうち、付加情報の二次元画像に関する視点の範囲が拡大され、付加情報の二次元画像の再生光の強度分布がブロードなものとなる。
【０１３２】
＜２．第２の実施形態＞
［ホログラム複製装置の一構成例］
図７は、第２の実施形態にかかるホログラム複製装置の一構成例を示す略線図である。図７に示すように、ホログラム複製装置２１は、ホログラム記録媒体１５およびホログラム原版１０に参照光を照射するための光学系と、ホログラム記録媒体１５に物体光としての付加情報光を照射するための光学系とを備えている点で、第１の実施形態と共通する。第２の実施形態は、液晶パネル１２５の表示面および偏光板１２７の主面と、ホログラム原版１０の主面とが平行を保つ配置とされる点において、第１の実施形態と異なる。
【０１３３】
図１に示す構成例では、ホログラム原版１０の主面に対して、液晶パネル１２５の表示面が傾けられている。液晶パネル１２５は、一般的に、斜め方向からの光の入射を想定して設計されていないため、ホログラム記録媒体１５への付加情報の記録において、光利用効率の低下、均一性の低下、散乱の増加などが生じうる。
【０１３４】
そこで、図７に示す構成例では、液晶パネル１２５の表示面と、ホログラム原版１０の主面とが平行を保つ配置とされている。このとき、図７に示すように、投影レンズ１４１、絞り１４２および投影レンズ１４３、光偏向シート１９およびルーバ１７を介して、ホログラム原版１０に対して付加情報光が入射される。
【０１３５】
光偏向シート１９は、あらかじめ設定された方向（入射角）に付加情報光を偏向する光学素子である。光偏向シート１９は、ホログラム原版１０に近接して配置される。図７に示す構成例では、ホログラム原版１０における、異方性散乱フィルム１４の被着される側とは反対側の主面と近接して光偏向シート１９が配置されている。光偏向シート１９としては、例えば、ホログラフィックオプティカルエレメント、回折光学素子、屈折角制御プリズムシートなどを使用することができる。
【０１３６】
＜３．第３の実施形態＞
［ホログラム複製装置の一構成例］
図８は、第３の実施形態にかかるホログラム複製装置の一構成例を示す略線図である。図８においては、液晶パネルの出射面に配置される偏光板の図示が省略されている。
【０１３７】
図８に示すように、ホログラム複製装置３１は、ホログラム記録媒体１５およびホログラム原版１０に参照光を照射するための光学系と、第１の付加情報光を照射するための光学系とを備えている点で、第１の実施形態と共通する。第３の実施形態は、第２の付加情報光を照射するための光学系をさらに備える点において、第１の実施形態と異なる。
【０１３８】
第３の実施形態においては、入射光を拡散させる入射角の範囲として、相異なる２つの範囲が設けられた異方性散乱フィルム１６が、ホログラム原版１０の一主面上に被着される。
【０１３９】
照射光学系Ｓｏ２から出射されたレーザ光が、ハーフミラー１０８に入射する。ハーフミラー１０８に入射したレーザ光は、反射光と、透過光とに分岐される。
【０１４０】
ハーフミラー１０８で反射されたレーザ光は、液晶パネル１２５ａに入射する。液晶パネル１２５ａを通過したレーザ光には、液晶パネル１２５ａの画面に表示された付加情報（以下、第１の付加情報と適宜記載する。）が重畳される。液晶パネル１２５ａに表示された第１の付加情報の画像は、投影レンズ１２１ａ、絞り１２２ａおよび投影レンズ１２３ａから構成される結像光学系と、ホログラム原版１０と、異方性散乱フィルム１６とを介して、ホログラム記録媒体１５に結像される。
【０１４１】
一方、ハーフミラー１０８を透過したレーザ光は、ミラー１０９で反射された後、液晶パネル１２５ｂに入射する。液晶パネル１２５ｂを通過したレーザ光には、液晶パネル１２５ｂの画面に表示された付加情報（以下、第２の付加情報と適宜記載する。）が重畳される。液晶パネル１２５ｂに表示された第２の付加情報の画像は、投影レンズ１２１ｂ、絞り１２２ｂおよび投影レンズ１２３ｂから構成される結像光学系と、ホログラム原版１０と、異方性散乱フィルム１６とを介して、ホログラム記録媒体１５に結像される。
【０１４２】
ホログラム記録媒体１５に対して、参照光と、第１の付加情報光と、第２の付加情報光とが同時に照射されることにより、ホログラム原版１０に記録されたホログラム画像と、第１の付加情報と、第２の付加情報とが、ホログラム記録媒体１５に記録される。
【０１４３】
このとき、図８に示すように、第１の付加情報が重畳された第１の付加情報光のホログラム記録媒体１５に対する入射角と、第２の付加情報が重畳された第２の付加情報光のホログラム記録媒体１５に対する入射角とは、相異なるものとされる。これにより、画像記録媒体を観察したときにおける、第１の付加情報の再生像を観察することができる視点と、第２の付加情報の再生像を観察することができる視点とを異ならせることができる。すなわち、ホログラム記録媒体１５に対して、ホログラム原版１０に記録されたホログラム画像の複製に加えて、２つの観察方向に応じた２種類の付加情報を記録することができる。
【０１４４】
なお、参照光と、第１または第２の付加情報光とは、ホログラム記録媒体１５に対して同時に照射される必要があるが、参照光と、第１の付加情報光とを同時に照射した後に、参照光と、第２の付加情報光とを同時に照射するようにしてもよい。さらに、付加情報光は、３以上とされてもよい。
【０１４５】
＜４．第４の実施形態＞
［ホログラム複製装置の一構成例］
図９は、第４の実施形態にかかるホログラム複製装置の一構成例を示す略線図である。図９に示すように、本開示の技術は、透過型ホログラムをホログラム原版１０ｔとして使用する場合にも適用することが可能である。
【０１４６】
図９に示すように、ホログラム複製装置４１においては、一主面上に異方性散乱フィルム１４が被着されたホログラム原版１０ｔと、ホログラム記録媒体１５とが密着される。
【０１４７】
照射光学系Ｓｏ１から照射された参照光が、ホログラム原版１０ｔ、異方性散乱フィルム１４およびホログラム記録媒体１５に入射する。また、照射光学系Ｓｏ２から出射され、液晶パネル１２５を通過したレーザ光（付加情報光）が、偏光板１２７と、投影レンズ１２１、絞り１２２および投影レンズ１２３から構成される結像光学系と、ホログラム原版１０ｔと、異方性散乱フィルム１４とを介して、ホログラム記録媒体１５に入射する。
【０１４８】
ホログラム記録媒体１５に対して、参照光と、付加情報光とが同時に照射されることにより、ホログラム原版１０ｔに記録されたホログラム画像と、付加情報の二次元画像とが、ホログラム記録媒体１５に記録される。
【０１４９】
異方性散乱フィルム１４は、付加情報光をホログラム記録媒体１５の近傍で拡散させるのに対して、参照光およびホログラム原版１０ｔからの回折光をほぼ拡散させることなく透過させる。そのため、付加情報の二次元画像を観察できる視点の範囲を拡大しながらも、ホログラム記録媒体１５に対する付加情報の二次元画像の記録時の“定位ずれ”を防止することができる。
【０１５０】
＜５．第５の実施形態＞
［ホログラム複製装置の一構成例］
図１０は、第５の実施形態にかかるホログラム複製装置の一構成例を示す略線図である。図１０に示すように、ホログラム複製装置５１は、ホログラム記録媒体１５およびホログラム原版１０に参照光を照射するための光学系と、ホログラム記録媒体１５に物体光としての付加情報光を照射するための光学系とを備えている点で、第１の実施形態と共通する。第５の実施形態においては、画像記録媒体を観察したときに、ホログラム原版１０から複製されたホログラム画像の再生像の色みと、付加情報の二次元画像の再生像の色みとが、相異なったものとされる点において、第１の実施形態と異なる。
【０１５１】
画像記録媒体から再生されたホログラム画像の再生像の色みと、画像記録媒体から再生された付加情報の二次元画像の再生像の色みとを相異なったものとするための方法としては、複数の方法を挙げることができる。図１０に示す構成例は、ホログラム原版１０に記録されたホログラム画像の複製のためのレーザ光の波長と、付加情報の二次元画像の記録のためのレーザ光の波長とを相異なるものとして、多重露光する例である。
【０１５２】
図１０に示すように、ホログラム複製装置５１は、例えば、緑のレーザ（例えば、半導体励起第二次高調波を使った波長５３２ｎｍのレーザ）光源１００Ｇと、赤のレーザ（例えば、波長６３３ｎｍのＨｅＮｅレーザ）光源１００Ｒとを備える。緑のレーザ光源１００Ｇから出射されるレーザ光（以下、緑色レーザ光と適宜称する。）は、ホログラム原版１０に記録されたホログラム画像の複製に使用される。一方、赤のレーザ光源１００Ｒから出射されるレーザ光（以下、赤色レーザ光と適宜称する。）は、付加情報の二次元画像の記録に使用される。
【０１５３】
緑のレーザ光源１００Ｇから出射された緑色レーザ光は、図１０に示すように、１／２波長板１０３Ｇを通過した後、偏光ビームスプリッタ１０５Ｇに入射する。一方、赤のレーザ光源１００Ｒから出射された赤色レーザ光は、図１０に示すように、偏光ビームスプリッタ１０５Ｒに入射することにより、２つのレーザ光に分岐される。このとき、例えば、偏光ビームスプリッタ１０５Ｒにより反射された成分は、偏光ビームスプリッタ１０５Ｇに入射し、偏光ビームスプリッタ１０５Ｇに入射した緑色レーザ光と合成される。
【０１５４】
偏光ビームスプリッタ１０５Ｇに入射することにより合成されたレーザ光が、空間フィルタ１１１、コリメーションレンズ１１３を介して、ホログラム記録媒体１５、異方性散乱フィルム１４およびホログラム原版１０に参照光として照射される。
【０１５５】
赤色レーザ光のうち、偏光ビームスプリッタ１０５Ｒを透過した成分は、ミラー１０７で反射された後、空間フィルタ１１２、コリメーションレンズ１１４を通過してミラー１０９に入射する。
【０１５６】
ミラー１０９によって反射されたレーザ光は、空間光変調素子としての液晶パネル１２５に入射し、付加情報が重畳される。付加情報が重畳され、偏光板１２７を通過したレーザ光は、投影レンズ１２１、絞り１２２および投影レンズ１２３からなる結像光学系、ルーバ１７、ホログラム原版１０ならびに異方性散乱フィルム１４を介して、ホログラム記録媒体１５に物体光として照射される。
【０１５７】
ホログラム記録媒体１５には、参照光が照射されることによりホログラム原版１０から出射される回折光（再生光）と参照光との干渉による干渉パターンおよび付加情報光と参照光との干渉による干渉パターンが記録される。このようにして、緑色の画像（ホログラム原版１０に記録されたホログラム画像の複製画像）および赤色の画像（付加情報の二次元画像）の記録がなされる。なお、赤色の画像と、緑色の画像とは、同時に記録されてもよいし、順次に記録されてもよい。
【０１５８】
第５の実施形態によれば、画像記録媒体から再生されるホログラム画像の再生像の色みと、画像記録媒体から再生される付加情報の二次元画像の再生像の色みとを相異なったものとすることができ、両者の分離性を向上させることができる。なお、本出願人らは、被験者３０人を対象に統計をとり、２つの画像のそれぞれに関する回折光強度のピークに対応する波長が例えば２５ｎｍ以上離れていると、白色光で照明したときに、２つの画像が色分離して見えやすいという結果を得ている。
【実施例】
【０１５９】
以下、実施例により本開示を具体的に説明するが、本開示はこれらの実施例のみに限定されるものではない。
【０１６０】
以下に説明する実施例では、２種の画像記録媒体のサンプルを準備した。すなわち、一主面上に異方性散乱フィルムの被着されたホログラム原版が使用されたホログラム複製装置により製作された画像記録媒体と、異方性散乱フィルムを使用せずに製作された画像記録媒体のサンプルとを準備した。さらに、準備した各サンプルについて、所定の照明光のもとにおいて、記録された画像を画像記録媒体から再生させ、画像記録媒体の輝度を測定した。画像記録媒体の輝度を測定することにより、ホログラム原版から複製されたホログラム画像および付加情報の二次元画像に関する回折光強度の評価を行った。
【０１６１】
［サンプルの準備］
（サンプル１）
まず、図７に示すホログラム複製装置と同様の構成により、ホログラム記録媒体に対して、ホログラム原版に記録されたホログラム画像の複製および付加情報の二次元画像の記録を行い、サンプル１の画像記録媒体を得た。なお、光偏向シートとして、屈折角が２３°のプリズムシートを使用した。
【０１６２】
サンプル１の画像記録媒体の製作にあたっては、異方性散乱フィルムとして、住友化学株式会社製  ルミスティー  ＬＣＹ−１０６０を使用した。
【０１６３】
（サンプル２）
次に、ホログラム原版に異方性散乱フィルムが被着されないこと以外はサンプル１の場合と同様にして、ホログラム記録媒体に対して、ホログラム原版に記録されたホログラム画像の複製および付加情報の二次元画像の記録を行い、サンプル２の画像記録媒体を得た。すなわち、サンプル２の画像記録媒体の製作に使用したホログラム複製装置は、図７に示すホログラム複製装置の構成から、異方性散乱フィルムを除いた構成を有するホログラム複製装置である。
【０１６４】
［回折光強度の評価］
次に、所定の照明光のもとにおいて、各サンプルに対する観察方向をかえて各サンプルの輝度を測定することにより、各サンプルから再生される画像の回折光強度を評価した。
【０１６５】
ここで、回折光強度は、以下の方法により測定した。
【０１６６】
図１１Ａおよび図１１Ｂは、回折光強度の測定方法を示した概略図である。図１１Ａに示すように、黒色のシート９２の上に、測定対象９１として、画像記録媒体が配置される。黒色のシート９２の上に測定対象９１を配置するのは、測定対象９１からの回折光（再生光）を測定するときに、背景が透けて見えることによる測定誤差を低減するためである。
【０１６７】
測定対象９１から３８０ｍｍの距離をおいて、測定装置７４が、配置される。なお、測定装置７４による輝度の測定においては、視野０．２°に設定した。
【０１６８】
測定対象９１から所定の方向にそって２８０ｍｍ離れた位置に、光源８３が配置される。光源８３は、測定対象９１の表面にたてた法線Ｎと、光源８３から入射する光の光軸とのなす角θが、所定の角度となるように配置される。所定の角度とは、例えば、４５°である。
【０１６９】
以下に、この測定で使用した測定装置および光源を示す。
測定装置  …色彩輝度計（Konica-Minolta  CS-200）
光源（白色光源）…ハロゲン光源（Ｙｘｙ色度図上    Ｙ:96.0, ｘ:0.4508, y:0.4075）
【０１７０】
図１１Ａに示すように、光源８３からの照射光ＩＬが、測定対象９１に入射する。測定対象９１に照射された照明光の一部は、測定対象９１により回折されて測定装置７４に到達し、各サンプルの輝度に関するデータが得られる。
【０１７１】
測定は、ホログラム原版から複製されたホログラム画像および付加情報の二次元画像のそれぞれについて行った。視点をＸ方向（左右方向）にそって移動させたときの回折光強度の変化は、図１１Ａに示す、測定対象９１の中心を通る軸Ｒａを回転軸として、測定対象９１を左右に傾け、図１１Ｂに示す角αを変化させることにより行った。視点をＹ方向（上下方向）にそって移動させたときの回折光強度の変化は、測定対象９１に対して測定装置７４をＹＺ面内で回転させ、測定対象９１と測定装置７４とを結ぶ線と、法線Ｎとの間の角βを変化させることにより行った。
【０１７２】
各サンプルに関する輝度の測定結果を、図１２Ａおよび図１２Ｂならびに図１３Ａおよび図１３Ｂに示す。ここで、図１２Ａおよび図１２Ｂならびに図１３Ａおよび図１３Ｂのグラフ中における［ａ．ｕ．］は、任意単位（arbitrary unit）を意味する。なお、図１２Ａおよび図１２Ｂならびに図１３Ａおよび図１３Ｂに示す測定結果は、測定対象９１において白が印画された部分に関する測定結果である。
【０１７３】
図１２Ａは、横軸をＹＺ面内の角β［ｄｅｇ］、縦軸を、ホログラム原版から複製されたホログラム画像に関する輝度Ｂ［ａ．ｕ．］としたグラフである。図１２Ａにおいては、サンプル１に関する測定結果を実線Ｌｙ１−１により示し、サンプル２に関する測定結果を破線Ｌｙ１−２により示した。
【０１７４】
図１２Ｂは、横軸をＺＸ面内の角α［ｄｅｇ］、縦軸を、ホログラム原版から複製されたホログラム画像に関する輝度Ｂ［ａ．ｕ．］としたグラフである。図１２Ｂにおいては、サンプル１に関する測定結果を実線Ｌｘ１−１により示し、サンプル２に関する測定結果を破線Ｌｘ１−２により示した。
【０１７５】
図１３Ａは、横軸をＹＺ面内の角β［ｄｅｇ］、縦軸を、付加情報の二次元画像に関する輝度Ｂ［ａ．ｕ．］としたグラフである。図１３Ａにおいては、サンプル１に関する測定結果を実線Ｌｙ２−１により示し、サンプル２に関する測定結果を破線Ｌｙ２−２により示した。
【０１７６】
図１３Ｂは、横軸をＺＸ面内の角α［ｄｅｇ］、縦軸を、付加情報の二次元画像に関する輝度Ｂ［ａ．ｕ．］としたグラフである。図１３Ｂにおいては、サンプル１に関する測定結果を実線Ｌｘ２−１により示し、サンプル２に関する測定結果を破線Ｌｘ２−２により示した。
【０１７７】
図１２Ａおよび図１２Ｂより、以下のことがわかった。
【０１７８】
サンプル１の測定結果と、サンプル２の測定結果とを比較すると、Ｘ方向およびＹ方向に関する、ホログラム原版から複製されたホログラム画像（第１の画像）を観察することのできる視点の範囲にほとんど変化は見られないことがわかる。なお、所定の方向からの照明光のもとで、サンプル１およびサンプル２の画像記録媒体を目視により観察したところ、画像記録媒体から再生された第１の画像を明瞭に確認することができた。すなわち、第１の画像の再生像の品質には劣化は見られなかった。
【０１７９】
図１３Ａおよび図１３Ｂより、以下のことがわかった。
【０１８０】
サンプル１の測定結果と、サンプル２の測定結果とを比較すると、サンプル１の画像記録媒体では、Ｙ方向に関する、付加情報の二次元画像（第２の画像）を観察することのできる視点の範囲が拡大されていることがわかった。すなわち、本開示の構成においては、Ｙ方向に関する、付加情報の二次元画像（第２の画像）を観察することのできる視点の範囲が拡大され、観察方向の変化に対する該画像の回折光強度の変化が緩和されることがわかった。なお、Ｘ方向に関する、第２の画像を観察することのできる視点の範囲には、大きな変化がないことがわかった。
【０１８１】
したがって、ホログラム原版の一主面上に異方性散乱フィルムを被着してホログラム記録媒体の一面と密着させることにより、視点の移動に対する、第２の画像の回折光強度の変化を緩和できることがわかった。
【０１８２】
図１２Ａおよび図１３Ａより、以下のことがわかった。
【０１８３】
サンプル１の測定結果から、第１の画像を観察できる視点の範囲と、第２の画像を観察できる視点の範囲とは重複しておらず、本開示の構成によれば、Ｙ方向に関する、第１の画像と、第２の画像との間のクロストークを防止できることがわかった。
【０１８４】
なお、所定の方向からの照明光のもとで、サンプル１の画像記録媒体を目視により観察したところ、画像記録媒体から再生された第２の画像を明瞭に確認することができた。すなわち、画像記録媒体から再生される第２の画像が画像記録媒体の面上に定位されており、本開示の構成によれば、二次元画像の“定位ずれ”を防止できることがわかった。
【０１８５】
＜６．変形例＞
以上、好適な実施形態について説明してきたが、好適な具体例は、上述した例に限定されるものではなく、各種の変形が可能である。
【０１８６】
例えば、付加情報として、シリアル番号、製造者名、ロット番号、一次元バーコード、二次元バーコードなどの識別情報以外の画像情報を記録することもできる。
【０１８７】
また、例えば、好適な実施形態の説明では、空間光変調素子として液晶パネルが使用される構成例を示したが、液晶パネル以外の素子が使用されてもよい。付加情報は、液晶パネルの表示面に拡大投影または縮小投影されてもよい。
【０１８８】
なお、上述の実施形態において挙げた構成、方法、形状、工程、材料および数値などはあくまでも例に過ぎず、必要に応じてこれと異なる構成、方法、形状、工程、材料および数値などを用いてもよい。上述の実施形態の構成、方法、形状、工程、材料および数値などは、本開示の主旨を逸脱しない限り、互いに組み合わせることが可能である。
【０１８９】
例えば、本開示は以下のような構成もとることができる。
（１）
所定の角度から照明した際に、法線に対して第１の方向に沿って視点を動かすと少なくとも該第１の方向には連続した視差をもつホログラム画像が記録されており、かつ一主面上に異方性散乱フィルムが被着されたホログラム原版における、前記異方性散乱フィルムの被着された側の主面と、感光性材料を含むホログラム記録媒体の一面とを、直接または屈折率調整体を介して密着させ、
第１のレーザ光を、前記異方性散乱フィルムの被着された前記ホログラム原版および前記ホログラム記録媒体に対して照射するとともに、入射した光を第１の付加情報に応じて変調する第１の空間光変調素子を通過した第２のレーザ光を、前記ホログラム記録媒体に対して前記第１のレーザ光と同時に前記異方性散乱フィルムの被着された前記ホログラム原版を介して照射し、
前記ホログラム原版に記録されたホログラム画像と、前記第１の付加情報とを前記ホログラム記録媒体に記録するホログラム複製方法。
（２）
前記異方性散乱フィルムからの出射光の第２の方向に関する拡散範囲が、前記第１の方向に関する拡散範囲よりも大とされる（１）に記載のホログラム複製方法。
（３）
前記異方性散乱フィルムにおいて、入射した光を拡散させる入射角の範囲が、前記ホログラム記録媒体に対する前記第１のレーザ光の入射角をζ、前記ホログラム原版を前記所定の角度から照明したときに、前記ホログラム原版に記録された前記ホログラム画像が最大輝度で再生される角度をξとしたときに、ほぼ（±ζ＋ξ）／２を中心とする角度範囲とされる（１）または（２）に記載のホログラム複製方法。
（４）
前記ホログラム原版における、前記異方性散乱フィルムの被着された側とは反対側の主面と近接して光偏向素子がさらに配置される（１）ないし（３）のいずれか１項に記載のホログラム複製方法。
（５）
前記ホログラム記録媒体が、情報を体積型ホログラムとして記録するホログラム記録媒体である（１）ないし（４）のいずれか１項に記載のホログラム複製方法。
（６）
前記第１の付加情報が、識別情報である（１）ないし（５）のいずれか１項に記載のホログラム複製方法。
（７）
前記ホログラム原版に記録されている前記ホログラム画像が、ホログラフィックステレオグラムである（１）ないし（６）のいずれか１項に記載のホログラム複製方法。
（８）
前記第２のレーザ光の波長と、前記ホログラム原版に記録されている前記ホログラム画像を再生させるための光の波長とが、相異なる（１）ないし（７）のいずれか１項に記載のホログラム複製方法。
（９）
前記第２のレーザ光の波長と、前記ホログラム原版に記録されている前記ホログラム画像を再生させるための光の波長とが、少なくとも２５ｎｍ以上離れている（１）ないし（８）のいずれか１項に記載のホログラム複製方法。
（１０）
入射した光を第２の付加情報に応じて変調する第２の空間光変調素子を通過した第３のレーザ光を、前記ホログラム記録媒体に対して前記第２のレーザ光とは異なる入射角でもって前記第１のレーザ光と同時に前記ホログラム原版を介してさらに照射し、
前記第２の付加情報を前記ホログラム記録媒体にさらに記録する（１）ないし（９）のいずれか１項に記載のホログラム複製方法。
（１１）
所定の角度から照明した際に、法線に対して第１の方向に沿って視点を動かすと少なくとも該第１の方向には連続した視差をもつホログラム画像が記録されており、かつ一主面上に異方性散乱フィルムが被着されたホログラム原版と、前記ホログラム原版における、前記異方性散乱フィルムの被着された側の主面に直接または屈折率調整体を介して密着される、感光性材料を含むホログラム記録媒体とに第１のレーザ光を照射するための第１の照射光学系と、
前記異方性散乱フィルムの被着された前記ホログラム原版を介して、前記ホログラム記録媒体に第２のレーザ光を照射するための第２の照射光学系と、
前記第２の照射光学系と、前記ホログラム原版との間に配置され、入射した光を付加情報に応じて変調する空間光変調素子と
を備え、
前記第１のレーザ光と、前記第２のレーザ光とを同時に照射することにより、前記ホログラム原版に記録されたホログラム画像と、前記付加情報とを前記ホログラム記録媒体に記録するホログラム複製装置。
【符号の説明】
【０１９０】
１・・・画像記録媒体
１０，１０ｔ・・・ホログラム原版
１１，２１，３１，４１，５１・・・ホログラム複製装置
１４，１６・・・異方性散乱フィルム
１５・・・ホログラム記録媒体
１７・・・ルーバ
１９・・・光偏向シート
１２５，１２５ａ，１２５ｂ・・・液晶パネル
Ｓｏ１，Ｓｏ２・・・照射光学系
【図１】
2013104882.tif 000003
【図２】
2013104882.tif 000004
【図３】
2013104882.tif 000005
【図４】
2013104882.tif 000006
【図５】
2013104882.tif 000007
【図６】
2013104882.tif 000008
【図７】
2013104882.tif 000009
【図８】
2013104882.tif 000010
【図９】
2013104882.tif 000011
【図１０】
2013104882.tif 000012
【図１１】
2013104882.tif 000013
【図１２】
2013104882.tif 000014
【図１３】
2013104882.tif 000015
【図１４】
2013104882.tif 000016
【図１５】
2013104882.tif 000017